(57)【要約】【課題】コンプライアントな回転シールを可能にするシステム及び方法を提供すること。【解決手段】コンプライアント回転シール（１００）を提供するシステムは、半径方向に延びる複数の歯（１０４）を有する回転部分（１０２）と、半径方向に延びる複数のブリストル（１０８）を有する静止部分（１０６）と、を含む。複数の歯（１０４）が、複数のブリストル（１０８）を回転可能に係合して、これらの間に、そこを通ってガス又は流体が漏出するのを抑制する蛇行経路を生成する。【選択図】      図１
2010159876.tif 000002
【特許請求の範囲】
【請求項１】
コンプライアント回転シール（１００）を提供するシステムにおいて、
半径方向に延びる複数の歯（１０４）を有する回転部分（１０２）と、
半径方向に延びる複数のブリストル（１０８）を有する静止部分（１０６）と、
を備え、
前記複数の歯（１０４）が、前記複数のブリストル（１０８）を回転可能に係合して、これらの間に、そこを通ってガス又は流体が漏出するのを抑制する蛇行経路を生成する、
ことを特徴とするシステム。
【請求項２】
前記複数のブリストル（１０８）が、複数のブリストルパックを形成するよう互いにパックされる、
請求項１に記載のシステム。
【請求項３】
前記複数のブリストル（１０８）が、前記複数の歯（１０４）に対して複数のシール平面を形成するよう層状に形成される、
請求項１に記載のシステム。
【請求項４】
前記複数のブリストル（１０８）が、異なる長さを有するブリストル（１０８）を含む、
請求項１に記載のシステム。
【請求項５】
前記複数のブリストル（１０８）が、ブラシシールの構成を含む、
請求項１に記載のシステム。
【請求項６】
前記回転部分（１０２）が、ラビリンスシール又はナイフエッジシールを含む、
請求項１に記載のシステム。
【請求項７】
前記複数のブリストル（１０８）が、前記複数の歯（１０４）によって係合されていないときには初期値に実質的に戻るように構成されている、
請求項１に記載のシステム。
【請求項８】
前記複数の歯（１０４）及び前記複数のブリストル（１０８）が各々、金属材料又は非金属材料から構成される、
請求項１に記載のシステム。
【請求項９】
前記複数のブリストル（１０８）に隣接した前記静止部分（１０６）から半径方向に延びるエンドプレート（２０６）のペアを更に備え、
前記複数のブリストル（１０８）が前記プレートのペア間に延び、前記複数の歯（１０４）によって係合されたときに、前記プレートが前記複数のブリストル（１０８）の軸方向の動きを抑制する、
請求項１に記載のシステム。
【請求項１０】
前記回転部分（１０２）及び前記静止部分（１０６）が、ガスタービン又は蒸気タービンの構成部品に一体化される、
請求項１に記載のシステム。
【発明の詳細な説明】
【技術分野】
【０００１】
本明細書で開示される主題は、全体的に機械タービンに関し、より詳細には、コンプライアント回転シールを提供するためのシステム及び方法に関する。
【背景技術】
【０００２】
ガス又は蒸気タービンのような機械タービンは、例えば、燃焼ガス又は蒸気の望ましくない漏出を低減又は阻止するためのシールを含む多数の表面を含む。これらのシールの特に困難な形態は、（例えば、静止表面に対して）移動又は回転している表面をシールするものである。例えば、タービンは、ステータ、シュラウド、その他などの隣接する静止表面との間でシールを形成する、シャフト、ロータ、その他などの回転する表面を含む。ラビリンスシールは、この目的での回転シールの一般的な形態であり、回転中に遠心力によって更に強化される有効な遮断路を生成することによってガス又は流体の流れを機械的にはね返す密結合部分（例えば、運転中に静止及び／又は移動している直線状のネジ付き延長部又は「歯」）を含む。ラビリンスシールのシール性能は、移動している歯にアブレイダブル結合表面をもたらすハニカム状材料と当該シールを係合する（例えば、隣接する静止表面に取り付ける）ことによって強化することができる。同様の用途では、いわゆるナイフエッジシールに適用される。
【０００３】
このようなシールの半径方向及び／又は軸方向の偏位によって、通常、係合したハニカム材料内において正常な状態に戻っていない溝が発生し、最終的には、空気、ガス、その他が溝と完全には係合していないときにシールを越えて漏出することが可能になる。また、このような軸方向又は半径方向の動きでは、この「擦り合わせ溝」は、シールが正常動作又は「定常状態」条件で位置付けられる場所とは別の配置で位置付けられる可能性がある。通常、このようなシールにおいて半径方向又は軸方向偏位中にシールクリアランスの変動も発生し、これは、種々の動作条件中に一貫性のない漏出を引き起こす。
【先行技術文献】
【特許文献】
【０００４】
【特許文献１】米国特許第６，５３３，２８４  Ｂ２号公報
【特許文献２】米国特許第６，８８０，８２９  Ｂ１号公報
【特許文献３】米国特許第７，０５２，０１５  Ｂ２号公報
【発明の概要】
【０００５】
本発明の１つの態様によれば、コンプライアント回転シールを提供するシステムは、半径方向に延びる１つ又はそれ以上の歯を有する回転部分と、半径方向に延びる複数のブリストルを有する静止部分とを含む。
【０００６】
１つ又はそれ以上の歯は、複数のブリストルを回転可能に係合して、これらの間に、そこを通ってガス又は流体が漏出するのを抑制する蛇行経路を生成する。
【０００７】
本発明の別の態様によれば、コンプライアント回転シールを提供する方法は、半径方向に延びる１つ又はそれ以上の歯を有する回転部分と、半径方向に延びる複数のブリストルを有する静止部分とを含む回転シールを提供する段階を含む。１つ又はそれ以上の歯は、複数のブリストルを回転可能に係合して、これらの間に、そこを通ってガス又は流体が漏出するのを抑制する蛇行経路を生成する。
【０００８】
これら及び他の利点並びに特徴は、図面を参照しながら以下の説明から明らかになるであろう。
【図面の簡単な説明】
【０００９】
【図１】本発明の例示的な実施形態による、コンプライアントブリストルアブレイダブル回転シールの例示的な概略断面図。
【図２】本発明の例示的な実施形態による、コンプライアントブリストルアブレイダブル回転シールの別の例示的な概略断面図。
【発明を実施するための形態】
【００１０】
本発明と見なされる主題は、本明細書と共に提出した特許請求の範囲に具体的に指摘しかつ明確に特許請求している。本発明の上記及び他の特徴並びに利点は、添付図面を参照しながら以下の詳細な説明から明らかである。
【００１１】
この詳細な説明は、例証として図面を参照し、利点及び特徴と共に本発明の例示的な実施形態を説明している。
【００１２】
以下の詳細な説明において、様々な実施形態を十分に理解するために、多数の具体的な詳細事項が記載されている。しかしながら、これらの実施形態は、このような具体的な詳細事項がなくとも実施することができる。場合によっては、公知の方法、手順、及び構成要素は詳細には説明していない。
【００１３】
更に、種々の工程は、本発明の実施形態を理解するための助けとなる様態で実施される複数の別個のステップとして説明することができる。しかしながら、記載の順序は、これらの工程が提示された順序で実施される必要があること、又は同等の順序に依存していることを意味するものと解釈するべきではない。更に、表現「１つの実施形態では」又は「ある実施形態では」の繰り返しの使用は、必ずしも同じ実施形態について言及している訳ではないが、同じ実施形態を指すことも可能である。最後に、本明細書で使用される用語「備える」、「含む」、及び同様のものは、別途指定されない限り、同義語であることを意味する。
【００１４】
本発明の例示的な実施形態は、コンプライアント回転シールを可能にするシステム及び方法を提供する。このような例示的な実施形態によれば、回転シール（ラビリンス又はナイフエッジシール）の半径方向及び軸方向偏位両方により確実に対応し、これによりシール漏出全体を低減することができる、よりコンプライアントな回転シールが提供される。より蛇行した経路がシールに沿って生成され、従って、そこを通るガス又は流体の漏出が少なくなる。結果として得られるコンプライアントなブリストルアブレイダブルシールは、シールクリアランス変動を有意に低減し、従って、漏出流が、より広い動作条件範囲にわたってより一貫したものとなる（例えば、シール偏位）。
【００１５】
図１は、本発明の例示的な実施形態による、コンプライアントブリストルアブレイダブル回転シール１００の例示的な概略断面図である。シール１００は、半径方向に延びる１つ又はそれ以上の歯（例えば、単一の歯、又は複数の歯）を有する回転部分１０２を含む。例えば、回転部分１０２は、単一の歯、又は複数の歯を有するラビリンスシール又はナイフエッジシールを含むことができる。シール１００はまた、半径方向に延びる複数のブリストル１０８を有する静止部分（又はシールランド）１０６を含む。１つ又はそれ以上の歯１０４は、複数のブリストルを回転可能に係合して、ガス又は流体が通過するのを抑制する蛇行経路をこれらの間に生成する。回転部分１０２及び静止部分１０６は、シャフト、ロータ、ステータ、シュラウド、その他などのガスタービン又は蒸気タービンの構成部品に統合することができる。
【００１６】
複数のブリストル１０８は、以下の例示的な実施形態によるなど、様々な特徴を有することができる。複数のブリストル１０８は、共にパックして、複数のブリストルパックを形成することができる。複数のブリストル１０８は、層状に配列して、１つ又はそれ以上の歯１０４に対して複数のシール平面を形成することができる。複数のブリストル１０８は、異なる長さ（例えば、図１に描かれている）のブリストルを含むことができる。複数のブリストル１０８は、ブラシシールの構成を含むことができる。
【００１７】
複数のブリストル１０８は、１つ又はそれ以上の歯１０４によって係合されていないときには、初期位置まで実質的に戻るように構成することができる。すなわち、１つ又はそれ以上の歯１０４は、ブリストル１０８を通って回転中にこれらブリストルを広げ、撓ませるなどを行うことができるが、ブリストル１０４は、１つ又はそれ以上の歯１０４によって係合されなかったときには、広がりのない、撓みのない、その他の位置に戻り、これによって、よりコンプライアントなシールランドを提供する。１つ又はそれ以上の歯１０４及び複数のブリストル１０８は各々、金属材料又は非金属材料（或いはこれらの複合材料）から構成することができる。
【００１８】
幾つかの実施形態では、静止部分１０６は更に、複数のブリストル１０８に隣接した静止部分１０６から半径方向に延びるエンドプレート２０６の１つ又はそれ以上（例えばペア）を含む。これに関して、図２は、本発明の例示的な実施形態による、コンプライアントブリストルアブレイダブル回転シール２００の代替の例示的な概略断面図を示す。図１と同じ参照符号の要素についての上記の説明に加えて、複数のブリストル１０８は、シール２００においてプレート２０６のペアの間に延びている。プレート２０６は、例えば、１つ又はそれ以上の歯１０４によって係合されたときに、複数のブリストル１０８の軸方向の動きを抑制する。
【００１９】
本発明の例示的な実施形態はまた、コンプライアント回転シールを提供する方法又はプロセス（図示せず）を含み、当該方法又はプロセスは、図１及び２について上記で説明したような（例示的な変形形態を含む）コンプライアント回転シール１００、２００を提供する段階を含む。このような例示的な方法及びプロセスは、幾つかの実施形態においてコンピュータプログラム製品の実行を含むことができる。
【００２０】
従って、本発明の例示的な実施形態の技術的作用は、コンプライアント回転シールを提供するシステム及び方法である。例示的な実施形態によれば、回転シールは、半径方向に延びる１つ又はそれ以上の歯を有する回転部分を含む。回転シールはまた、半径方向に延びる複数のブリストルを有する静止部分を含む。１つ又はそれ以上の歯は、複数のブリストルを回転可能に係合し、これらの間に、そこを通るガス又は流体の漏出を抑制する蛇行経路を生成する。
【００２１】
限られた数の実施形態のみに関して本発明を詳細に説明してきたが、本発明はこのような開示された実施形態に限定されないことは理解されたい。むしろ、本発明は、上記で説明されていない多くの変形、改造、置換、又は均等な構成を組み込むように修正することができるが、これらは、本発明の技術的思想及び範囲に相応する。加えて、本発明の種々の実施形態について説明してきたが、本発明の態様は記載された実施形態の一部のみを含むことができる点を理解されたい。従って、本発明は、上述の説明によって限定されると見なすべきではなく、添付の請求項の範囲によってのみ限定される。
【符号の説明】
【００２２】
１００  シール
１０２  回転部分
１０４  歯
１０６  静止部分（又はシールランド）
１０８  ブリストル
２０６  エンドプレート
【図１】
2010159876.tif 000003
【図２】
2010159876.tif 000004